(57)【要約】【課題】意匠性を維持しながら換気性を確保することが可能となる、引戸を提供すること。【解決手段】引戸１は、建物の開口部に設けられた枠体１０と、開口部の開閉を行う開閉体２０と、を備えた引戸であって、戸先縦枠１１と開閉体２０との相互間に設けられた当接部材８０であって、全閉状態において、当該当接部材８０が戸先縦枠１１と開閉体２０とに当接するように構成された当接部材８０と、全閉状態において戸先縦枠１１との相互間に形成される通気路９０であって、当該通気路９０を介して当該引戸１の見込方向の一方から他方に向けて空気を通気させることが可能な通気路９０と、を備えた。【選択図】図２
2019157423.tif 000002
【特許請求の範囲】
【請求項１】
建物の開口部に設けられた枠体と、前記開口部の開閉を行う開閉体と、を備えた引戸であって、
前記枠体を構成する長尺な枠材のうち戸先側に位置する戸先側枠材と前記開閉体との相互間に設けられた当接部材であって、前記開閉体によって前記開口部を全閉した全閉状態において、当該当接部材が前記戸先側枠材と前記開閉体とに当接するように構成された当接部材と、
前記全閉状態において前記戸先側枠材と前記開閉体との相互間又は前記当接部材の内側に形成される通気路であって、当該通気路を介して当該引戸の見込方向の一方から他方に向けて空気を通気させることが可能な通気路と、
を備えた引戸。
【請求項２】
前記全閉状態において前記戸先側枠材と前記開閉体との相互間の領域である相互間領域のうち、前記開閉体の中央位置よりも前記戸先側枠材の長手方向の一方の端部側にある第１領域と、前記開閉体の中央位置よりも前記戸先側枠材の長手方向の他方の端部側にある第２領域とに前記当接部材が位置するように、前記当接部材を少なくとも１つ以上配置した、
請求項１に記載の引戸。
【請求項３】
前記通気路は、前記全閉状態において、前記戸先側枠材と前記開閉体との相互間に形成される通気路であり、
前記当接部材を、前記第１領域の部分のうち前記戸先側枠材の長手方向の一方の端部近傍部分に配置すると共に、前記第２領域の部分のうち前記戸先側枠材の長手方向の他方の端部近傍部分に配置した、
請求項２に記載の引戸。
【請求項４】
前記全閉状態において前記当接部材が前記戸先側枠材の見込面と前記開閉体の見込面とに当接するように、前記当接部材を構成した、
請求項１から３のいずれか一項に記載の引戸。
【請求項５】
前記全閉状態において前記戸先側枠材によって前記通気路又は前記当接部材が見込み方向の少なくともいずれか一方側から略覆われるように、前記戸先側枠材及び前記開閉体を構成した、
請求項１から４のいずれか一項に記載の引戸。
【請求項６】
前記当接部材を前記戸先側枠材又は前記開閉体に対して着脱自在に取り付けるための少なくとも１つ以上の取付手段を備えた、
請求項１から５のいずれか一項に記載の引戸。
【請求項７】
前記開閉体を施錠するための施錠装置であって、前記戸先側枠材又は前記開閉体のいずれか一方に設けられた錠本体と、前記戸先側枠材又は前記開閉体のいずれか他方に設けられた錠受け部であって、前記錠本体を構成する係合部に係合される被係合部を有する錠受け部と、を有する施錠装置を備え、
前記全閉状態において前記錠受け部における前記係合部を受ける側の側部が前記戸先側枠材と前記開閉体との相互間に位置するように前記錠受け部を配置することにより、前記係合部を前記被係合部に係合可能とした、
請求項１から６のいずれか一項に記載の引戸。
【発明の詳細な説明】
【技術分野】
【０００１】
本発明は、引戸に関する。
【背景技術】
【０００２】
従来、建物の開口部に設けられている引戸を対象として、引戸によって閉ざされた空間の換気を行うための技術の一つとして、引戸を構成する開閉体に換気ガラリを設けることにより、開閉体によって開口部が全閉した状態において換気ガラリを介して部屋の内側又は外側の一方から部屋の内側又は外側の他方に向けて通気を可能にする技術が提案されている（例えば、特許文献１参照）。また、この換気ガラリは、上記全閉した状態において外部から露出する位置に配置されている。
【先行技術文献】
【特許文献】
【０００３】
【特許文献１】特開２０００−３２８８５１号公報
【発明の概要】
【発明が解決しようとする課題】
【０００４】
しかしながら、上記従来の技術においては、上述したように、換気ガラリが開閉体に設けられており、且つ上記全閉した状態において外部から露出する位置に配置されているので、例えば、換気性能を高めるために換気ガラリが比較的大きく形成された場合には、上記全閉した状態において換気ガラリが目立つことにより、引戸の意匠性を低下させる可能性があった。したがって、意匠性を維持しながら換気性を確保する観点からは改善の余地があった。
【０００５】
本発明は、上記従来技術における課題を解決するためのものであって、意匠性を維持しながら換気性を確保することが可能となる、引戸を提供することを目的とする。
【課題を解決するための手段】
【０００６】
上述した課題を解決し、目的を達成するために、請求項１に記載の引戸は、建物の開口部に設けられた枠体と、前記開口部の開閉を行う開閉体と、を備えた引戸であって、前記枠体を構成する長尺な枠材のうち戸先側に位置する戸先側枠材と前記開閉体との相互間に設けられた当接部材であって、前記開閉体によって前記開口部を全閉した全閉状態において、当該当接部材が前記戸先側枠材と前記開閉体とに当接するように構成された当接部材と、前記全閉状態において前記戸先側枠材と前記開閉体との相互間又は前記当接部材の内側に形成される通気路であって、当該通気路を介して当該引戸の見込方向の一方から他方に向けて空気を通気させることが可能な通気路と、を備えた。
【０００７】
請求項２に記載の引戸は、請求項１に記載の引戸において、前記全閉状態において前記戸先側枠材と前記開閉体との相互間の領域である相互間領域のうち、前記開閉体の中央位置よりも前記戸先側枠材の長手方向の一方の端部側にある第１領域と、前記開閉体の中央位置よりも前記戸先側枠材の長手方向の他方の端部側にある第２領域とに前記当接部材が位置するように、前記当接部材を少なくとも１つ以上配置した。
【０００８】
請求項３に記載の引戸は、請求項２に記載の引戸において、前記通気路は、前記全閉状態において、前記戸先側枠材と前記開閉体との相互間に形成される通気路であり、前記当接部材を、前記第１領域の部分のうち前記戸先側枠材の長手方向の一方の端部近傍部分に配置すると共に、前記第２領域の部分のうち前記戸先側枠材の長手方向の他方の端部近傍部分に配置した。
【０００９】
請求項４に記載の引戸は、請求項１から３のいずれか一項に記載の引戸において、前記全閉状態において前記当接部材が前記戸先側枠材の見込面と前記開閉体の見込面とに当接するように、前記当接部材を構成した。
【００１０】
請求項５に記載の引戸は、請求項１から４のいずれか一項に記載の引戸において、前記全閉状態において前記戸先側枠材によって前記通気路又は前記当接部材が見込み方向の少なくともいずれか一方側から略覆われるように、前記戸先側枠材及び前記開閉体を構成した。
【００１１】
請求項６に記載の引戸は、請求項１から５のいずれか一項に記載の引戸において、前記当接部材を前記戸先側枠材又は前記開閉体に対して着脱自在に取り付けるための少なくとも１つ以上の取付手段を備えた。
【００１２】
請求項７に記載の引戸は、請求項１から６のいずれか一項に記載の引戸において、前記開閉体を施錠するための施錠装置であって、前記戸先側枠材又は前記開閉体のいずれか一方に設けられた錠本体と、前記戸先側枠材又は前記開閉体のいずれか他方に設けられた錠受け部であって、前記錠本体を構成する係合部に係合される被係合部を有する錠受け部と、を有する施錠装置を備え、前記全閉状態において前記錠受け部における前記係合部を受ける側の側部が前記戸先側枠材と前記開閉体との相互間に位置するように前記錠受け部を配置することにより、前記係合部を前記被係合部に係合可能とした。
【発明の効果】
【００１３】
請求項１に記載の引戸によれば、戸先側枠材と開閉体との相互間に設けられた当接部材と、全閉状態において戸先側枠材と開閉体との相互間又は当接部材の内側に形成される通気路とを備えたので、全閉状態において当接部材及び通気路を戸先側枠材と開閉体との相互間に設けることができ、従来技術（開閉体に換気ガラリを設ける技術）に比べて、全閉状態において当接部材及び通気路を目立ちにくくすることができると共に、開閉体の安定性を確保しながら、引戸によって閉ざされた空間の換気を効果的に行うことができる。したがって、引戸の意匠性を維持しながら、引戸の換気性を確保することが可能となる。
【００１４】
請求項２に記載の引戸によれば、相互間領域のうち、第１領域と第２領域とに当接部材が位置するように、当接部材を少なくとも１つ以上配置したので、当接部材を第１領域又は第２領域のいずれか一方のみに配置した場合に比べて、全閉状態において開閉体のガタツキを抑制でき、引戸の安定性を向上できる。
【００１５】
請求項３に記載の引戸によれば、通気路が、全閉状態において、戸先側枠材と開閉体との相互間に形成される通気路であり、当接部材を、第１領域の部分のうち戸先側枠材の長手方向の一方の端部近傍部分に配置すると共に、第２領域の部分のうち戸先側枠材の長手方向の他方の端部近傍部分に配置したので、全閉状態において開閉体のガタツキを効果的に抑制でき、引戸の安定性を一層向上できる。
【００１６】
請求項４に記載の引戸によれば、全閉状態において当接部材が戸先側枠材の見込面と開閉体の見込面とに当接するように、当接部材を構成したので、全閉状態において開閉体の面内方向のガタツキを抑制でき、引戸の安定性をさらに一層向上できる。
【００１７】
請求項５に記載の引戸によれば、全閉状態において戸先側枠材によって通気路又は当接部材が見込み方向の少なくともいずれか一方側から略覆われるように、戸先側枠材及び開閉体を構成したので、全閉状態において、見込み方向の少なくとも一方側から通気路及び当接部材を見えにくく又は見えないようにすることができ、引戸の意匠性を一層維持することが可能となる。
【００１８】
請求項６に記載の引戸によれば、当接部材を戸先側枠材又は開閉体に対して着脱自在に取り付けるための少なくとも１つ以上の取付手段を備えたので、取付手段によって当接部材の着脱を容易に行うことができ、状況に応じて換気量を調整することが可能となる。
【００１９】
請求項７に記載の引戸によれば、全閉状態において錠受け部における錠本体の係合部を受ける側の側部が戸先側枠材と開閉体との相互間に位置するように錠受け部を配置することにより、係合部を錠受け部の被係合部に係合可能としたので、当接部材を設けた場合において、特殊な施錠装置を用いることなく開閉体を施錠することができ、引戸の製造性を向上できる。
【図面の簡単な説明】
【００２０】
【図１】本発明の実施の形態１に係る引戸の正面図である。
【図２】図１の引戸の部分正面図である。
【図３】図２のＡ−Ａ矢視断面図である。
【図４】実施の形態１に係る引戸の変形例を示す部分正面図である。
【図５】実施の形態１に係る引戸の変形例を示す図であって、図３に対応する領域を示す図である。
【図６】実施の形態２に係る取付部を示す図であり、（ａ）は正面図、（ｂ）は右側面図である。
【図７】戸先縦枠を示す右側面図である。
【図８】戸先縦枠及び取付部を示す図であり、（ａ）は正面図、（ｂ）は右側面図である。
【図９】実施の形態２に係る取付部の変形例を示す図であり、（ａ）は正面図、（ｂ）は右側面図である。
【図１０】実施の形態２に係る取付部の変形例を示す図であり、（ａ）は正面図、（ｂ）は右側面図である。
【図１１】実施の形態３に係る引戸の部分正面図である。
【図１２】図１１のＢ−Ｂ矢視断面図であり、（ａ）は当接部材を取り付けた状態を示す図、（ｂ）は当接部材を取り外した状態を示す図である。
【図１３】実施の形態４に係る引戸の部分正面図である。
【図１４】図１３のＣ−Ｃ矢視断面図である。
【発明を実施するための形態】
【００２１】
以下に添付図面を参照して、この発明に係る引戸の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
まず、実施の形態の基本的概念について説明する。実施の形態は、概略的に、建物の開口部に設けられた枠体と、開口部の開閉を行う開閉体と、を備えた引戸に関するものである。
【００２３】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、床、天井等）において出入口や窓を設置するために形成された開口部である。また、「引戸」とは、開口部に設置される構造体であって、開口部の出入りを抑制又は制限するための構造体を意味し、例えば、片開式の引戸等を含む概念である。この引戸の開閉方向については、例えば上下方向、左右方向、前後方向等が該当する。また、「開閉体の状態」とは、例えば、開閉体によって開口部を全閉した「全閉状態」と、開閉体によって開口部を全開した「全開状態」と、開口部の一部を開いて当該開口部の他の一部を閉じている「半開状態」とを含む概念である。なお、実施の形態では、全閉状態における開閉体の位置を「全閉位置」と称し、全開状態における開閉体の位置を「全開位置」と称する。以下、実施の形態では、引戸が、病院の如き建物内の所定の部屋における通路側の壁に設けられた片開式の引戸である場合について説明する。
【００２４】
〔ＩＩ〕実施の形態の具体的内容
次に、実施の形態の具体的内容について説明する。
【００２５】
〔実施の形態１〕
まず、実施の形態１に係る引戸について説明する。この実施の形態１は、全閉状態において、戸先側枠材と開閉体との相互間に形成される通気路を備えた形態である。
【００２６】
（構成）
最初に、実施の形態１に係る引戸の構成について説明する。以下の説明では、図１のＸ方向を引戸の左右方向（−Ｘ方向を引戸の左方向、＋Ｘ方向を引戸の右方向）、図３のＹ方向を引戸の前後方向（＋Ｙ方向を引戸の前方向（部屋の室内側の方向）、−Ｙ方向を引戸の後方向（部屋の室外側の方向））、図１のＺ方向を引戸の上下方向（＋Ｚ方向を引戸の上方向、−Ｚ方向を引戸の下方向）と称する。
【００２７】
図１に示すように、この引戸は、概略的に、枠体１０、開閉体２０、及び施錠装置５０を備えており、枠体１０の内部において開閉体２０を左右方向（水平方向）にスライド移動させることで、開閉体２０によって部屋（建物）の壁の開口部３を開閉することができる。ただし、引戸１に関する特記しない構成については、従来と同様であるものとして説明を省略する。なお、引戸１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００２８】
（構成−枠体）
まず、枠体１０の構成について説明する。この枠体１０は、開口部３の周縁に設けられるものであり、図１に示すように、戸先縦枠１１、戸尻縦枠１２、上横枠１３、室内側方立（図示省略）、室外側方立１４、室内側戸袋ボード（図示省略）、及び室外側戸袋ボード１５を備えている。
【００２９】
（構成−枠体−戸先縦枠）
戸先縦枠１１は、枠体１０を構成する枠材のうち、戸先側に設けられる戸先側枠材である。この戸先縦枠１１は、例えば公知の引戸用の長尺な枠材（一例として、鋼製の枠材）を用いて構成されており、図１に示すように、戸先縦枠１１の長手方向が上下方向に沿って配置され、建物の躯体２（例えば壁又は柱等）に対して固定具等によって固定されている。
【００３０】
また、図２、図３に示すように、戸先縦枠１１の開閉体２０側の側部に、縦枠側凹部１６が設けられている。この縦枠側凹部１６は、全閉状態において開閉体２０の一部（具体的には、開閉体２０の戸先カバー４０）を収容する（いわゆる飲み込む）ための凹部である。この縦枠側凹部１６は、戸先縦枠１１を曲げ成形することにより形成されており、具体的には、図２に示すように、戸先縦枠１１の開閉体２０側の側部の上下方向の全長にわたって設けられていると共に、開閉体２０に対向するように設けられている。
【００３１】
（構成−枠体−戸尻縦枠）
図１に戻り、戸尻縦枠１２は、枠体１０を構成する枠材のうち、戸尻側に設けられる枠材である。この戸尻縦枠１２は、例えば公知の引戸用の長尺な枠材（一例として、鋼製の枠材）を用いて構成されており、図１に示すように、戸尻縦枠１２の長手方向が上下方向に沿って配置され、建物の躯体２（例えば壁又は柱等）に対して固定具等によって固定されている。
【００３２】
（構成−枠体−上横枠）
上横枠１３は、枠体１０を構成する枠材のうち、上側に設けられる枠材である。この上横枠１３は、例えば公知の引戸用の長尺な枠材（一例として、鋼製の枠材）を用いて構成されており、図１に示すように、戸先縦枠１１と戸尻縦枠１２との相互間において上横枠１３の長手方向が左右方向に沿って配置され、建物の躯体２（例えば壁又は天井）に対して固定具等によって固定されている。
【００３３】
また、この上横枠１３には、レール部１３ａが設けられている。レール部１３ａは、開閉体２０の上面に取付けられた後述する戸車４１を左右方向に沿って走行可能とするための誘導路である。このレール部１３ａは、例えば公知の引戸用のレール（一例として、アルミニウム製のレール）等を用いて構成され、当該レール部１３ａの左右方向の長さが後述する戸車４１の走行範囲の長さよりも長くなるように形成されており、戸尻側から戸先側に至るに連れて下方に至るように上横枠１３に対して傾斜状に設置されている（あるいは、略水平に設置されてもよい）。このような傾斜状のレール部１３ａに対して後述する戸車４１を介して開閉体２０が吊り持ち状に支持されることにより、開閉体２０が自重によって戸先側に向けて常時付勢されることから、例えば、半開状態において開閉体２０にユーザが手を触れていない場合には、開閉体２０が戸先側に自然に移動して全閉状態となる。
【００３４】
（構成−枠体−室内側方立、室外側方立）
室内側方立は、枠体１０を構成する枠材のうち、戸先縦枠１１と戸尻縦枠１２との間に設けられる枠材である。この室内側方立は、例えば公知の引戸用の長尺な枠材（一例として、鋼製の枠材）を用いて構成され、図１に示すように、全閉状態における開閉体２０の戸尻側端部よりも部屋の室内側に位置するように配置され、且つ上横枠１３から床面Ｆとの相互間において当該室内側方立の長手方向が上下方向に沿うように配置されており、上横枠１３及び床面Ｆの各々に対して固定具等によって固定されている。また、室外側方立１４は、枠体１０を構成する枠材のうち、戸先縦枠１１と戸尻縦枠１２との間に設けられる枠材である。この室外側方立１４は、例えば公知の引戸用の長尺な枠材（一例として、鋼製の枠材）を用いて構成され、図１に示すように、全閉状態における開閉体２０の戸尻側端部よりも部屋の室外側に位置するように配置し、且つ上横枠１３から床面Ｆとの相互間において当該室外側方立１４の長手方向が上下方向に沿うように配置されており、上横枠１３及び床面Ｆの各々に対して固定具等によって固定されている。
【００３５】
（構成−枠体−室内側戸袋ボード、室外側戸袋ボード）
室内側戸袋ボードは、後述する戸袋１７を構成するボードのうち、部屋の室内側に設けられるボードである。この室内側戸袋ボードは、例えば公知の戸袋用のボード（一例として、矩形状の石膏ボード等）を用いて構成され、図１に示すように、戸尻縦枠１２、上横枠１３、及び室内側方立によって囲繞される領域に配置され、戸尻縦枠１２、上横枠１３、及び室内側方立に対して図示しない下地材を介して固定具等によって固定されている。また、室外側戸袋ボード１５は、後述する戸袋１７を構成するボードのうち、部屋の室外側に設けられるボードである。この室外側戸袋ボード１５は、例えば公知の戸袋用のボード（一例として、矩形状の石膏ボード等）を用いて構成され、図１に示すように、戸尻縦枠１２、上横枠１３、及び室外側方立１４によって囲繞される領域に配置され、戸尻縦枠１２、上横枠１３、及び室外側方立１４に対して図示しない下地材を介して固定具等によって固定されている。
【００３６】
このように構成された枠体１０の各部のうち、戸尻縦枠１２、上横枠１３、床面Ｆ、室内側方立、室外側方立１４、室内側戸袋ボード、及び室外側戸袋ボード１５によって囲繞される空間部として図１の戸袋１７が構成されている。この戸袋１７により、戸袋１７の内部に開閉体２０を出し入れ自在に収容することができるので、例えば戸袋１７の内部に開閉体２０のうち後述の把持部３５よりも戸尻側の部分を略完全に収容した状態では、開閉体２０を全開位置に位置させた状態（すなわち、全開状態）にすることができる。
【００３７】
（構成−開閉体）
次に、開閉体２０の構成について説明する。開閉体２０は、開口部３を開閉するためのものであり、図２に示すように、開閉体本体３０、戸先カバー４０、及び戸車４１を備えている。
【００３８】
（構成−開閉体−開閉体本体）
開閉体本体３０は、開閉体２０の基本構造体であり、図１から図３に示すように、開閉体枠３１、室内側表面材３２、室外側表面材３３、芯材３４、及び把持部３５を備えている。
【００３９】
このうち、開閉体枠３１は、開閉体本体３０の剛性を主として担うものである。この開閉体枠３１は、複数の鋼製の枠材（一例として、断面形状がコ字状である長尺な鋼製の枠材）を組み合わせることによって、正面形状が矩形環状となるように形成されており、具体的には、左右一対の縦枠材３１ａ、及び上下一対の横枠材（図示省略）から構成されている。このうち、左右一対の縦枠材３１ａは、長手方向の長さが相互に略同一となるように形成されており、上下方向に略沿うように配置されている。また、上下一対の横枠材は、長手方向の長さが相互に略同一となるように形成されており、左右方向に略沿うように配置されている。
【００４０】
また、室内側表面材３２及び室外側表面材３３は、開閉体枠３１及び芯材３４を覆うためのものである。これら室内側表面材３２及び室外側表面材３３は、例えば公知の表面材（一例として、鋼製の化粧板）等を用いて構成され、開閉体枠３１及び芯材３４を覆うように設けられており、具体的には、図３に示すように、開閉体枠３１及び芯材３４を部屋の室内側及び部屋の室外側から挟むように配置され、開閉体枠３１及び芯材３４に対して接着剤等によって固定されている。また、芯材３４は、開閉体本体３０の内部に充填されるものであり、例えば公知の芯材等を用いて構成され、図３に示すように、開閉体枠３１、室内側表面材３２、及び室外側表面材３３にて囲繞された空間内に充填されている。また、把持部３５は、ユーザが開閉体２０の開閉操作を行うためのものであり、例えば公知の引戸用の把持部を用いて構成され、図１、図２に示すように、開閉体本体３０の側面のうち部屋の室内側の側面及び部屋の室外側の側面における相互に対応する位置（具体的には、これら側面の各々の戸先側部分であって上下方向の略中央部及びその近傍）にそれぞれ配置されており、開閉体本体３０に対して固定具等によって固定されている。
【００４１】
（構成−開閉体−戸先カバー）
図２に戻り、戸先カバー４０は、開閉体本体３０の戸先側に設けられるカバー材であり、例えば公知の引戸用のカバー材（一例として、断面形状がコ字状である樹脂製のカバー材）を用いて構成され、図２、図３に示すように、開閉体本体３０の側面のうち戸先側の側面全体を略覆うように設けられ、開閉体本体３０に対して固定具等によって固定されている。
【００４２】
（構成−開閉体−戸車）
戸車４１は、開閉体本体３０を走行可能（スライド移動可能）とするための走行手段である。この戸車４１は、例えば公知の引戸用の戸車等を用いて構成され、上横枠１３と開閉体２０とによって囲繞された空間内に複数設けられており、開閉体本体３０の上面に対して固定具等によって固定されている。
【００４３】
（構成−施錠装置）
図２に戻り、次に、施錠装置５０の構成について説明する。この施錠装置５０は、開閉体２０を施錠するための装置であり、例えば公知の引戸用の施錠装置（一例として、手動式の鎌錠）を用いて構成され、開口部３の戸先側に設けられている。また、図２に示すように、この施錠装置５０は、錠本体６０及び錠受け部７０を備えている。
【００４４】
（構成−施錠装置−錠本体）
錠本体６０は、施錠装置５０の施錠操作を行うためのものである。錠本体６０は、図２に示すように、開閉体２０に設けられており、本体側収容部６１、室内側操作軸（図示省略）、室外側操作軸（図示省略）、及び係合部６２を備えている。
【００４５】
このうち、本体側収容部６１は、係合部６２等の施錠装置５０の各種部品を収容するための収容手段であり、例えば鋼製の中空状体にて形成されており、開閉体２０の内部において戸先側に設けられ、開閉体２０に対して固定具等によって固定されている。また、室内側操作軸は、部屋の室内側から施錠装置５０を操作するための操作軸であり、室内側操作軸の一部が本体側収容部６１に挿入された状態で、当該室内側操作軸が部屋の室内側に向けて張り出すように設けられている。また、室外側操作軸は、部屋の室外側から施錠装置５０を操作するための操作軸であり、室外側操作軸の一部が本体側収容部６１に挿入された状態で、当該室外側操作軸が部屋の室外側に向けて張り出すように設けられている。また、係合部６２は、後述する錠受け部７０の被係合部に係合するためのものであり、本体側収容部６１の内部において当該本体側収容部６１に設けられた開口部（図示省略）を介して出し入れ自在に収容されている。
【００４６】
（構成−施錠装置−錠受け部）
錠受け部７０は、錠本体６０にて行われた施錠操作に応じて施錠又は解錠するためのものである。この錠受け部７０は、図２に示すように、戸先縦枠１１に設けられており、受け側収容部７１及び被係合部（図示省略）を備えている。
【００４７】
このうち、受け側収容部７１は、被係合部を収容するための収容手段（より具体的には、後述する施錠状態において被係合部及び係合部６２を収容する収容手段）であり、例えば錠本体６０側の側面が開放された鋼製の中空状体にて形成されており、戸先縦枠１１に対して固定具等によって固定されている。また、この受け側収容部７１の側部のうち錠本体６０側の側部（図２では、右側側部７１ａ）には、係合部６２を受け側収容部７１に挿通可能にするための開口部（図示省略）が設けられている。また、被係合部は、係合部６２によって係合されるものであり、受け側収容部７１の内部に設けられている。なお、上述した受け側収容部７１の右側側部７１ａは、特許請求の範囲における「錠受け部７０における係合部６２を受ける側の側部」に対応する。
【００４８】
（構成−換気構造）
次に、引戸１の換気構造について説明する。引戸１によって閉ざされた空間（具体的には、部屋の内部空間）の換気を行うための換気構造の特徴については、実施の形態１では、以下に示す通りとなる。
【００４９】
（構成−換気構造−第１の特徴）
まず、換気構造の第１の特徴については、図２、図３に示すように、引戸１に当接部材８０及び通気路９０が設けられている。
【００５０】
（構成−換気構造−第１の特徴−当接部材）
当接部材８０は、全閉状態において戸先縦枠１１と開閉体２０との相互間の領域ＭＡ（以下、「相互間領域ＭＡ」と称する）に通気路９０を形成するための部材である。この当接部材８０は、例えば長尺状体（一例として、直方体、円柱体等）にて形成されており、図２、図３に示すように、戸先縦枠１１と開閉体２０との相互間において、当接部材８０の長手方向が上下方向に沿うように設けられ、戸先縦枠１１に対して固定具等によって固定されている。
【００５１】
ここで、当接部材８０の具体的な構成については、実施の形態１では、全閉状態において当接部材８０が戸先縦枠１１と開閉体２０とに当接するように構成されている。
【００５２】
具体的には、まず、当接部材８０の具体的な大きさについては、以下の通りとなる。すなわち、当接部材８０の左右方向の長さについては、戸先縦枠１１の左右方向の長さよりも短く設定している。また、当接部材８０の前後方向の長さについては、戸先縦枠１１の前後方向の長さよりも短く設定している。また、当接部材８０の上下方向の長さについては、戸先縦枠１１の上下方向の長さよりも短く設定している。このような設定により、相互間領域ＭＡに少なくとも１つ以上の通気路９０を設けることが可能となる。ただし、上記設定に限らず、通気路９０による換気量が所定量に達するように設定することが望ましいことから、一例として、実験結果等に基づいて設定してもよい。
【００５３】
また、当接部材８０の設置方法については、以下の通りとなる。
【００５４】
すなわち、まず、縦枠側凹部１６の内部において、図２、図３に示すように、開閉体２０と対向する位置に、当接部材８０を設けている。具体的には、図３に示すように、全閉状態において当接部材８０が戸先縦枠１１の見込面（図３では、縦枠側凹部１６の底部分１６ａ）と開閉体２０の見込面（図３では、開閉体２０の戸先側側面２０ａ）とに当接するように設けている。このような設置により、全閉状態において開閉体２０の面内方向のガタツキを抑制でき、引戸１の安定性を向上できる。
【００５５】
図２に戻り、また、全閉状態において相互間領域ＭＡのうち第１領域ＭＡ１と第２領域ＭＡ２とに当接部材８０が位置するように少なくとも１つ以上配置している。ここで、「第１領域ＭＡ１」とは、相互間領域ＭＡのうち、図２に示す開閉体２０の中央位置Ｃよりも戸先縦枠１１の長手方向の一方の端部側（図２では、上方側）にある領域を意味する。また、「第２領域ＭＡ２」とは、相互間領域ＭＡのうち、開閉体２０の中央位置Ｃよりも戸先縦枠１１の長手方向の他方の端部側（図２では、下方側）にある領域を意味する。具体的には、図２に示すように、当接部材８０を、第１領域ＭＡ１の部分のうち戸先縦枠１１の長手方向の一方の端部近傍部分（図２では、戸先縦枠１１の上端部の近傍部分）に１つ配置し、第２領域ＭＡ２の部分のうち戸先縦枠１１の長手方向の他方の端部近傍部分（図２では、戸先縦枠１１の下端部の近傍部分）に１つ配置し、且つ、第２領域ＭＡ２の部分のうち施錠装置５０に対応する部分に１つ配置している。なお、以下では、必要に応じて、これら当接部材８０のうち、第１領域ＭＡ１に位置する当接部材８１を「第１当接部材８１」と称し、第２領域ＭＡ２の下方側に位置する当接部材８２を「第２当接部材８２」と称し、第２領域ＭＡ２の施錠装置５０側に位置する当接部材８３を「第３当接部材８３」と称する。このような設置により、当接部材８０を第１領域ＭＡ１又は第２領域ＭＡ２のいずれか一方のみに配置した場合に比べて、全閉状態において開閉体２０のガタツキを効果的に抑制でき、引戸１の安定性を向上できる。
【００５６】
また、当接部材８０の材質については任意であるが、例えば、弾性材料（一例として、ゴム材料）又は非弾性材料（例えば、鋼材等）にて構成してもよい。一例として、戸先カバー４０が軟質の樹脂材料で構成されている場合には、第１当接部材８１及び第２当接部材８２をゴム材料（又は鋼材）にて構成し、第３当接部材８３を鋼材にて構成してもよい。また、戸先カバー４０が鋼材で構成されている場合（又は、戸先カバー４０が取り外された場合）には、第１当接部材８１、第２当接部材８２、及び第３当接部材８３をゴム材料にて構成してもよい。
【００５７】
（構成−換気構造−第１の特徴−通気路）
通気路９０は、当該通気路９０を介して引戸１の見込方向（図３では、前後方向）の一方から他方に向けて空気を通気（図２、図３の空気の流れＡＦ）させることが可能な通気手段である。この通気路９０は、実施の形態１では、全閉状態において戸先縦枠１１と開閉体２０との相互間に形成されている。具体的には、図２に示すように、第１当接部材８１から第３当接部材８３に至る範囲、及び第３当接部材８３から第２当接部材８２に至る範囲にそれぞれ形成されている。ここで、「戸先縦枠１１と開閉体２０との相互間に形成される」とは、通気路９０の外周の一部のみが戸先縦枠１１及び開閉体２０によって直接的に囲繞されるように形成されることを意味する。
【００５８】
このような第１の特徴により、全閉状態において当接部材８０及び通気路９０を戸先縦枠１１と開閉体２０との相互間に設けることができ、従来技術（開閉体に換気ガラリを設ける技術）に比べて、全閉状態において当接部材８０及び通気路９０を目立ちにくくすることができると共に、開閉体２０の安定性を確保しながら、引戸１によって閉ざされた空間の換気を効果的に行うことができる。したがって、引戸１の意匠性を維持しながら、引戸１の換気性を確保することが可能となる。
【００５９】
（構成−換気構造−第２の特徴）
次に、換気構造の第２の特徴については、図３に示すように、全閉状態において戸先縦枠１１によって当接部材８０又は通気路９０が見込み方向（図３では、前後方向）の少なくともいずれか一方側から略覆われるように、戸先縦枠１１及び開閉体２０が構成されている。具体的には、全閉状態において戸先縦枠１１の縦枠側凹部１６の前方側及び後方側の側壁部分１６ｂによって当接部材８０及び通気路９０の各々が見込み方向の両側から略覆われるように構成されている。
【００６０】
ここで、縦枠側凹部１６の具体的な大きさについては任意であるが、例えば、開閉体２０の開閉移動を妨げず、且つ全閉状態において前方側及び後方側から当接部材８０及び通気路９０が視認しにくくなる大きさに設定してもよい。一例として、縦枠側凹部１６の左右方向の長さについては、当接部材８０の左右方向の長さよりも長く設定してよく、例えば、当接部材８０の左右方向の長さの２倍程度に設定してもよい。また、縦枠側凹部１６の前後方向の長さについては、当接部材８０の前後方向の長さよりも長く設定してもよく、例えば、当接部材８０の前後方向の長さよりも１．２倍程度長く設定してもよい。
【００６１】
また、開閉体２０の具体的な大きさについては任意であるが、例えば、開閉体２０の戸先カバー４０については、全閉状態において戸先カバー４０が縦枠側凹部１６に収容可能であり、且つ当接部材８０が視認しにくい長さに設定してもよい。一例として、戸先カバー４０の前後方向の長さについては、縦枠側凹部１６の前後方向の長さよりも短く設定してもよく、より具体的には、当接部材８０の前後方向の長さと略同一に設定してよい。また、戸先カバー４０の左右方向の長さについては、縦枠側凹部１６の左右方向の長さよりも若干短く設定してもよい。
【００６２】
このような第２の特徴により、全閉状態において、見込み方向の少なくとも一方側から当接部材８０及び通気路９０を見えにくく又は見えないようにすることができ、引戸１の意匠性を一層維持することが可能となる。
【００６３】
（構成−換気構造−第３の特徴）
図２に戻り、次に、換気構造の第３の特徴については、図２に示すように、全閉状態において錠受け部７０における錠本体６０の係合部６２を受ける側の側部（図２では、錠受け部７０の受け側収容部７１の右側側部７１ａ）が相互間領域ＭＡに位置するように錠受け部７０が配置されることにより、係合部６２を錠受け部７０の被係合部に係合可能としている。
【００６４】
具体的には、第３当接部材８３内に少なくとも一部が収容された錠受け部７０であって、受け側収容部７１の右側側部７１ａが第３当接部材８３の右側側部８３ａにおいて露出するように配置された錠受け部７０が、縦枠側凹部１６の内部に設けられている。また、全閉状態において受け側収容部７１の右側側部７１ａが、相互間領域ＭＡのうち開閉体２０の戸先側側面２０ａに近接し（又は当接し）、且つ係合部６２と対応する位置に設けられている。また、この場合において、錠受け部７０の具体的な構成については任意であるが、実施の形態１では、全閉状態において前方側及び後方側から錠受け部７０が視認しにくくなる大きさに設定している。具体的には、錠受け部７０の左右方向の長さについては、縦枠側凹部１６の左右方向の長さよりも短く設定している。また、錠受け部７０の前後方向の長さについては、縦枠側凹部１６の前後方向の長さよりも短く設定している。
【００６５】
このような第３の特徴により、当接部材８０を設けた場合において、特殊な施錠装置を用いることなく開閉体２０を施錠することができ、引戸１の製造性を向上できる。
【００６６】
（引戸の作用について）
次に、このように構成された引戸１の作用について説明する。
【００６７】
すなわち、図２に示すように、全閉状態では、通気路９０が形成されるので、通気路９０を介して部屋の室外側又は室内側のいずれか一方から部屋の室外側又は室内側のいずれか他方に向けて空気を通気させることができ、部屋の内部空間の換気を行うことが可能となる。また、全閉状態では、当接部材８０を介して開閉体２０と戸先縦枠１１とを当接させることができるので、例えば、全閉状態において開閉体２０が外力を受けた場合に、開閉体２０のガタツキ（特に、面内方向のガタツキ）を抑制することが可能となる。
【００６８】
（構成−その他の構成）
また、この他にも、実施の形態１に係る引戸１は、できる限りにおいて任意の構造にて構成可能である。
【００６９】
具体的には、実施の形態１では、当接部材８０が３つ（第１当接部材８１、第２当接部材８２、及び第３当接部材８３）が設けられていると説明したが、これに限らない。例えば、当接部材８０が１つのみ又は２つのみ設けられてもよく、あるいは、当接部材８０が４つ以上設けられてもよい。
【００７０】
また、実施の形態１では、当接部材８０が、第１領域ＭＡ１及び第２領域ＭＡ２の各々に１つ以上配置されていると説明したが、これに限らない。例えば、図４に示すように、当接部材８０が、第１領域ＭＡ１及び第２領域ＭＡ２に跨るように１つのみ配置されてもよい。これにより、当接部材８０を１つのみを設けた場合でも全閉状態の開閉体２０のガタツキを比較的抑制できるので、引戸１の安定性を確保しながら、当接部材８０の設置数を低減できる。
【００７１】
また、実施の形態１では、全閉状態において戸先縦枠１１の縦枠側凹部１６によって当接部材８０及び通気路９０の各々が見込み方向の両側から略覆われていると説明したが、これに限らない。例えば、全閉状態において戸先縦枠１１の縦枠側凹部１６によって当接部材８０及び通気路９０の各々が見込み方向の一方側からのみ略覆われてもよい。一例として、図５に示すように、全閉状態において戸先縦枠１１の縦枠側凹部１６の前方側の側壁部分１６ｂのみ（あるいは、縦枠側凹部１６の後方側の側壁部分１６ｂのみ）によって当接部材８０及び通気路９０の各々が前方側からのみ略覆われてもよい。
【００７２】
（実施の形態１の効果）
このように実施の形態１によれば、戸先縦枠１１と開閉体２０との相互間に設けられた当接部材８０と、全閉状態において戸先縦枠１１と開閉体２０との相互間に形成される通気路９０とを備えたので、全閉状態において当接部材８０及び通気路９０を戸先縦枠１１と開閉体２０との相互間に設けることができ、従来技術（開閉体に換気ガラリを設ける技術）に比べて、全閉状態において当接部材８０及び通気路９０を目立ちにくくすることができると共に、開閉体２０の安定性を確保しながら、引戸１によって閉ざされた空間の換気を効果的に行うことができる。したがって、引戸１の意匠性を維持しながら、引戸１の換気性を確保することが可能となる。
【００７３】
また、相互間領域ＭＡのうち、第１領域ＭＡ１と第２領域ＭＡ２とに当接部材８０が位置するように、当接部材８０を少なくとも１つ以上配置したので、当接部材８０を第１領域ＭＡ１又は第２領域ＭＡ２のいずれか一方のみに配置した場合に比べて、全閉状態において開閉体２０のガタツキを抑制でき、引戸１の安定性を向上できる。
【００７４】
また、通気路９０が、全閉状態において、戸先縦枠１１と開閉体２０との相互間に形成される通気路９０であり、当接部材８０を、第１領域ＭＡ１の部分のうち戸先縦枠１１の長手方向の一方の端部近傍部分に配置すると共に、第２領域ＭＡ２の部分のうち戸先縦枠１１の長手方向の他方の端部近傍部分に配置したので、全閉状態において開閉体２０のガタツキを効果的に抑制でき、引戸１の安定性を一層向上できる。
【００７５】
また、全閉状態において当接部材８０が戸先縦枠１１の見込面と開閉体２０の見込面とに当接するように、当接部材８０を構成したので、全閉状態において開閉体２０の面内方向のガタツキを抑制でき、引戸１の安定性をさらに一層向上できる。
【００７６】
また、全閉状態において戸先縦枠１１によって当接部材８０又は通気路９０が見込み方向の少なくともいずれか一方側から略覆われるように、戸先縦枠１１及び開閉体２０を構成したので、全閉状態において、見込み方向の少なくとも一方側から当接部材８０及び通気路９０を見えにくく又は見えないようにすることができ、引戸１の意匠性を一層維持することが可能となる。
【００７７】
また、全閉状態において錠受け部７０における錠本体６０の係合部６２を受ける側の側部が相互間領域ＭＡに位置するように錠受け部７０を配置することにより、係合部６２を錠受け部７０の被係合部に係合可能としたので、当接部材８０を設けた場合において、特殊な施錠装置を用いることなく開閉体２０を施錠することができ、引戸１の製造性を向上できる。
【００７８】
〔実施の形態２〕
次に、実施の形態２に係る引戸について説明する。この実施の形態２は、取付手段を備えた形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００７９】
（構成）
最初に、実施の形態２に係る引戸の構成について説明する。実施の形態２に係る引戸１は、実施の形態１に係る引戸１とほぼ同様に構成されている。ただし、換気構造の構成の詳細については、下記に示す工夫が施されている。
【００８０】
（構成−換気構造の構成の詳細）
次に、換気構造の構成の詳細について説明する。実施の形態２に係る換気構造の特徴については、図６から図８に示すように、実施の形態１に係る換気構造の特徴に加えて、引戸１に取付部１１０が設けられている。
【００８１】
（構成−換気構造の構成の詳細−取付部）
取付部１１０は、当接部材８０（第１当接部材８１、第２当接部材８２、及び第３当接部材８３）を戸先縦枠１１又は開閉体２０に対して着脱自在に取り付けるための取付手段であり、図６から図８に示すように、取付部本体１１１、一対の取付側係合部１１２、及び一対の取付側被係合部１１３を備えている。
【００８２】
取付部本体１１１は、当接部材８０と取付部１１０とを接続するためのものである。この取付部本体１１１は、例えば鋼製の板状体にて形成されており、図６、図８に示すように、縦枠側凹部１６の内部において、当接部材８０と縦枠側凹部１６の底部分１６ａとの相互間に設けられており、当接部材８０に対して固定具等によって接続されている。また、この取付部本体１１１の具体的な大きさについては任意であるが、実施の形態２では、第１当接部材８１、第２当接部材８２、及び第３当接部材８３と接続可能な長さに設定している。具体的には、取付部本体１１１の前後方向の長さについては、当接部材８０の前後方向の長さと略同一の長さに設定しており、取付部本体１１１の上下方向の長さについては、縦枠側凹部１６の上下方向の長さと略同一の長さに設定している。
【００８３】
一対の取付側係合部１１２は、取付部本体１１１を戸先縦枠１１に取り付けるためのものである。これら一対の取付側係合部１１２は、例えば鋼製のフック状体にて形成されており、図６、図８に示すように、取付部本体１１１の側面のうち当接部材８０側の側面とは反対側の側面（図６では、左側面）に複数設けられており、取付部本体１１１に対して固定具又は溶接等によって固定されている。
【００８４】
一対の取付側被係合部１１３は、取付部本体１１１を戸先縦枠１１に取り付けるためのものであって、取付側係合部１１２に係合されるものである。これら一対の取付側係合部１１２は、例えば取付側係合部１１２に係合されることが可能な貫通孔であり、図７に示すように、縦枠側凹部１６の底部分１６ａにおいて取付側係合部１１２に対応する部分に形成されている。
【００８５】
このような構成により、取付部１１０によって当接部材８０の着脱を容易に行うことができ、状況に応じて換気量を調整することが可能となる。特に、取付部１１０は、複数の当接部材８０を接続することができるので、当接部材８０を効率良く取り付けることができ、当接部材８０の取付性を向上できる。なお、第１当接部材８１、第２当接部材８２、及び第３当接部材８３が戸先縦枠１１から取り外された状態においても、開閉体２０を施錠することができるように、例えば、図７、図８に示すように、戸先縦枠１１の内部に予備の錠受け部１２０が設けられていてもよい。
【００８６】
（構成−その他の構成）
また、この他にも、実施の形態２に係る引戸１は、できる限りにおいて任意の構造にて構成可能である。
【００８７】
具体的には、実施の形態２では、取付部１１０（具体的には、取付部本体１１１）が、複数の当接部材８０を接続可能に構成されていると説明したが、これに限らず、例えば、図９、図１０に示すように、１つの当接部材８０のみを接続可能に構成されてもよい。この場合において、図９、図１０に示すように、取付部１１０の形状及び大きさ（特に、上下方向の長さ）については、当接部材８０の種類や位置に応じて異ならせてもよい。このような構成により、例えば、引戸１に複数の当接部材８０が設けられる場合には、換気量に応じた当接部材８０の取り付け及び取り外しを行うことができることから、換気量の調整を細かく行うことが可能となる。
【００８８】
（実施の形態２の効果）
このように実施の形態２によれば、当接部材８０を戸先縦枠１１又は開閉体２０に対して着脱自在に取り付けるための少なくとも１つ以上の取付部１１０を備えたので、取付部１１０によって当接部材８０の着脱を容易に行うことができ、状況に応じて換気量を調整することが可能となる。
【００８９】
〔実施の形態３〕
次に、実施の形態３に係る引戸について説明する。この実施の形態３は、施錠装置の錠受け部を上横枠に設けた形態である。ただし、この実施の形態３の構成は、特記する場合を除いて、実施の形態２の構成と略同一であり、実施の形態２の構成と略同一の構成についてはこの実施の形態２で用いたものと同一の符号及び／又は名称を必要に応じて付して、その説明を省略する。
【００９０】
（構成）
最初に、実施の形態３に係る引戸の構成について説明する。実施の形態３に係る引戸１は、実施の形態２に係る引戸１とほぼ同様に構成されている（ただし、第３当接部材８３を省略する）。ただし、施錠装置５０の構成の詳細については、下記に示す工夫が施されている。
【００９１】
（構成−施錠装置の構成の詳細）
次に、施錠装置５０の構成の詳細について説明する。実施の形態３においては、この施錠装置５０は、例えば公知の手動式のロッド錠）を用いて構成されており、図１１に示すように、錠本体６０及び錠受け部７０を備えている。
【００９２】
錠本体６０は、図１１、図１２に示すように、本体側収容部６１、室内側操作軸、室外側操作軸、及びロッド部６３を備えている。このうち、ロッド部６３は、後述する錠受け部７０の挿通孔７３に挿通するためのものであり、図１１、図１２に示すように、本体側収容部６１の外部に設けられており、室内側操作軸又は室外側操作軸の錠操作に応じて上下方向に移動可能となるように、室内側操作軸又は室外側操作軸と連結部材（図示書略）を介して接続されている。
【００９３】
錠受け部７０は、図１１、図１２（ａ）に示すように、上横枠１３に設けられており、錠受け部本体７２及び挿通孔７３を備えている。このうち、錠受け部本体７２は、錠受け部７０の基本構造体である。この錠受け部本体７２は、略板状体に形成され、図１１、図１２（ａ）に示すように、上横枠１３の戸先側に設けられており、具体的には、全閉状態においてロッド部６３と対応する位置に配置され、上横枠１３に対して固定具等によって固定されている。挿通孔７３は、ロッド部６３を挿通するための貫通孔であり、図１２（ａ）に示すように、錠受け部本体７２に形成されており、具体的には、全閉状態おいてロッド部６３に対応する部分に形成されている。
【００９４】
このような構成により、実施の形態２に係る引戸１と同様に、当接部材８０を設けた場合において、特殊な施錠装置を用いることなく開閉体２０を施錠することができ、引戸１の製造性を向上できる。なお、実施の形態３に係る当接部材８０は取付部１１０を介して戸先縦枠１１に対して着脱自在であることから、例えば、図１２（ｂ）に示すように、すべての当接部材８０が取り外された場合でも開閉体２０の施錠を行うことができるように、予備の挿通孔１３０が錠受け部本体７２に形成されてもよい。
【００９５】
（実施の形態３の効果）
このように実施の形態３によれば、開閉体２０に設けられた錠本体６０と、上横枠１３に設けられた錠受け部７０とを有する施錠装置５０を備え、全閉状態において錠受け部７０のロッド部６３と対応する位置に錠受け部７０の挿通孔７３を配置することにより、ロッド部６３を挿通孔７３に挿通可能としたので、実施の形態２に係る引戸１と同様に、当接部材８０を設けた場合において、特殊な施錠装置を用いることなく開閉体２０を施錠することができ、引戸１の製造性を向上できる。
【００９６】
〔実施の形態４〕
次に、実施の形態４に係る引戸について説明する。この実施の形態４は、通気路を当接部材の内側に形成した形態である。ただし、この実施の形態４の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００９７】
（構成）
最初に、実施の形態４に係る引戸の構成について説明する。実施の形態４に係る引戸１は、実施の形態１に係る引戸１とほぼ同様に構成されている。ただし、換気構造の構成の詳細については、下記に示す工夫が施されている。
【００９８】
（構成−換気構造の構成の詳細）
次に、換気構造の構成の詳細について説明する。実施の形態４に係る換気構造の特徴については、図１３、図１４に示すように、引戸１に当接部材８０及び通気路９０が設けられている。
【００９９】
（構成−換気構造の構成の詳細−当接部材）
当接部材８０は、図１３、図１４に示すように、戸先縦枠１１の縦枠側凹部１６に設けられており、具体的には、１つの当接部材８０が、相互間領域ＭＡの略全体にわたって設けられている。
【０１００】
（構成−換気構造の構成の詳細−通気路）
図１３に戻り、通気路９０は、当接部材８０の内側に形成されており、具体的には、図１３、図１４に示すように、当接部材８０の内側において相互に間隔を隔てて上下方向に沿って複数並設して形成されている。ここで、「当接部材８０の内側に形成される」とは、通気路９０の外周全体が当接部材８０によって直接的に囲繞されるように形成されることを意味する。
【０１０１】
また、この通気路９０の具体的な形状及び大きさについては任意であるが、通気路９０による換気量が所定量に達する限り小さくすることが望ましいことから、例えば、実験結果等に基づいて設定してもよい。一例として、図１３に示すように、各通気路９０の正面形状については、長方形状に設定する。また、通気路９０の左右方向の長さについては、当接部材８０の左右方向よりも短く設定し、通気路９０の上下方向の長さについては、当接部材８０の上下方向よりも短く設定する。ただし、これに限らず、例えば、複数の通気路９０がそれぞれ異なる形状（通気路９０の正面形状を三角形状等の多角形状、真円形状、楕円形状等）及び大きさに設定してもよい。
【０１０２】
（実施の形態４の効果）
このように実施の形態４によれば、戸先縦枠１１と開閉体２０との相互間に設けられた当接部材８０と、全閉状態において当接部材８０の内側に形成される通気路９０とを備えたので、全閉状態において当接部材８０及び通気路９０を戸先縦枠１１と開閉体２０との相互間に設けることができ、実施の形態１に係る引戸１と同様に、全閉状態において当接部材８０及び通気路９０を目立ちにくくすることができると共に、開閉体２０の安定性を確保しながら、引戸１によって閉ざされた空間の換気を効果的に行うことができる。したがって、引戸１の意匠性を維持しながら、引戸１の換気性を確保することが可能となる。
【０１０３】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【０１０４】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１０５】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１０６】
（引戸の適用対象について）
上記実施の形態１から４では、引戸１が、戸袋１７を有する引戸であると説明したが、これに限らず、例えば、戸袋１７を有しない引戸であってもよい。この場合には、枠体１０の室内側方立、室外側方立１４、室内側戸袋ボード、及び室外側戸袋ボード１５を省略できる。
【０１０７】
（戸先縦枠について）
上記実施の形態１から４では、戸先縦枠１１に、縦枠側凹部１６が設けられていると説明したが、これに限らず、例えば、当接部材８０及び通気路９０が外部に露出することを許容する場合には、縦枠側凹部１６を省略してもよい。
【０１０８】
（施錠装置について）
上記実施の形態１から４では、施錠装置５０が、手動式の鎌錠又はロッド錠であると説明したが、これに限らず、例えば、電気式の鎌錠又はロッド錠であってもよい。
【０１０９】
また、上記実施の形態１、２、４では、錠本体６０が開閉体２０に設けられ、錠受け部７０が戸先縦枠１１に設けられていると説明したが、これに限らず、例えば、錠受け部７０が開閉体２０に設けられ、錠本体６０が戸先縦枠１１に設けられてもよい。
【０１１０】
また、上記実施の形態１から４では、引戸１に施錠装置５０が設けられていると説明したが、これに限らず、例えば、施錠装置５０を省略してもよい。
【０１１１】
（換気構造について）
上記実施の形態１では、戸先カバー４０の前後方向の長さを当接部材８０の前後方向の長さと略同一に設定していると説明したが、これに限らず、例えば、当接部材８０の前後方向の長さを戸先カバー４０の前後方向の長さよりも短く設定してもよい。
【０１１２】
また、上記実施の形態２では、引戸１に取付部１１０が設けられていると説明したが、これに限らない。例えば、取付部１１０に加えて、取付側塞ぎ部材（図示省略）が設けられてもよい。取付側塞ぎ部材は、取付部本体１１１及び一対の取付側係合部１１２が戸先縦枠１１から取り外された場合に、一対の取付側被係合部１１３を塞ぐための部材である。この取付側塞ぎ部材は、縦枠側凹部１６の底部分１６ａの形状及び大きさと略同一に形成された板状体であり、底部分１６ａを覆うように設けられ、一対の取付側被係合部１１３又は戸先縦枠１１に対して係合構造又は固定具等によって固定される。これにより、取付部本体１１１及び一対の取付側係合部１１２が戸先縦枠１１から取り外された場合に、取付側塞ぎ部材によって一対の取付側被係合部１１３が外部に露出することを防止できる。
【０１１３】
また、上記実施の形態４では、引戸１に当接部材８０及び通気路９０が設けられていると説明したが、これに限らない。例えば、これらの構成要素に加えて、通気路側塞ぎ部材（図示省略）が設けられてもよい。通気路側塞ぎ部材は、通気路９０を塞ぐための部材である。この通気路側塞ぎ部材は、通気路側塞ぎ部材の外形及び大きさが通気路９０の外形及び大きさと略同一である棒状体又は板状体であり、当接部材８０に対して着脱自在に取り付けられる。これにより、通気路側塞ぎ部材によって通気路９０を塞ぐことができ、状況に応じて換気量を調整することが可能となる。
【０１１４】
（当接部材について）
上記実施の形態１から４では、当接部材８０が、戸先縦枠１１に設けられていると説明したが、これに限らず、例えば、開閉体２０に設けられてもよい。この場合において、例えば、上記実施の形態１から４のいずれかに係る当接部材８０と開閉体２０の戸先カバー４０とを一体形成してもよい。これにより、当接部材８０を設置する手間を省略でき、引戸１の設置性を向上できる。
【０１１５】
また、上記実施の形態１から３では、複数の当接部材８０の形状及び大きさが、同一に設定されていると説明したが、これに限らず、例えば、複数の当接部材８０の形状及び大きさが、それぞれ異なるように設定してもよい。
【０１１６】
また、上記実施の形態１では、当接部材８３が、全閉状態において戸先側側面２０ａと当接するように構成されていると説明したが、これに限らず、例えば、全閉状態において戸先側側面２０ａと当接しないように構成されてもよい。この場合において、当接部材８０の材質については任意であるが、例えば、戸先カバー４０が鋼材で構成されている場合（又は、戸先カバー４０が取り外された場合）には、第１当接部材８１及び第２当接部材８２をゴム材料にて構成し、第３当接部材８３をゴム材料又は鋼材にて構成してもよい。
【０１１７】
（取付部について）
上記実施の形態２、３では、上記実施の形態２、３に係る引戸１に取付部１１０が設けられていると説明したが、これに限らない。例えば、上記実施の形態３に係る引戸１については、取付部１１０を省略して、当接部材８０を戸先縦枠１１に対して固定してもよい。あるいは、上記実施の形態４に係る引戸１に取付部１１０が設けられてもよい。
【０１１８】
また、上記実施の形態２では、取付側被係合部１１３の設置数が２つであると説明したが、これに限らず、例えば、１つのみでもよく、あるいは、３つ以上であってもよい。この場合には、取付側係合部１１２の設置数を、取付側被係合部１１３の設置数と略同一に設定してもよい。
【０１１９】
また、上記実施の形態２では、取付側係合部１１２がフック状体にて構成されていると説明したが、これに限らず、例えば、公知のビス部材を用いて構成されてもよい。この場合には、取付側被係合部１１３は、ビス孔にて構成される。
【０１２０】
（付記）
付記１の引戸は、建物の開口部に設けられた枠体と、前記開口部の開閉を行う開閉体と、を備えた引戸であって、前記枠体を構成する長尺な枠材のうち戸先側に位置する戸先側枠材と前記開閉体との相互間に設けられた当接部材であって、前記開閉体によって前記開口部を全閉した全閉状態において、当該当接部材が前記戸先側枠材と前記開閉体とに当接するように構成された当接部材と、前記全閉状態において前記戸先側枠材と前記開閉体との相互間又は前記当接部材の内側に形成される通気路であって、当該通気路を介して当該引戸の見込方向の一方から他方に向けて空気を通気させることが可能な通気路と、を備えた。
【０１２１】
付記２の引戸は、付記１に記載の引戸において、前記全閉状態において前記戸先側枠材と前記開閉体との相互間の領域である相互間領域のうち、前記開閉体の中央位置よりも前記戸先側枠材の長手方向の一方の端部側にある第１領域と、前記開閉体の中央位置よりも前記戸先側枠材の長手方向の他方の端部側にある第２領域とに前記当接部材が位置するように、前記当接部材を少なくとも１つ以上配置した。
【０１２２】
付記３の引戸は、付記２に記載の引戸において、前記通気路は、前記全閉状態において、前記戸先側枠材と前記開閉体との相互間に形成される通気路であり、前記当接部材を、前記第１領域の部分のうち前記戸先側枠材の長手方向の一方の端部近傍部分に配置すると共に、前記第２領域の部分のうち前記戸先側枠材の長手方向の他方の端部近傍部分に配置した。
【０１２３】
付記４の引戸は、付記１から３のいずれか一項に記載の引戸において、前記全閉状態において前記当接部材が前記戸先側枠材の見込面と前記開閉体の見込面とに当接するように、前記当接部材を構成した。
【０１２４】
付記５の引戸は、付記１から４のいずれか一項に記載の引戸において、前記全閉状態において前記戸先側枠材によって前記通気路又は前記当接部材が見込み方向の少なくともいずれか一方側から略覆われるように、前記戸先側枠材及び前記開閉体を構成した。
【０１２５】
付記６の引戸は、付記１から５のいずれか一項に記載の引戸において、前記当接部材を前記戸先側枠材又は前記開閉体に対して着脱自在に取り付けるための少なくとも１つ以上の取付手段を備えた。
【０１２６】
付記７の引戸は、付記１から６のいずれか一項に記載の引戸において、前記開閉体を施錠するための施錠装置であって、前記戸先側枠材又は前記開閉体のいずれか一方に設けられた錠本体と、前記戸先側枠材又は前記開閉体のいずれか他方に設けられた錠受け部であって、前記錠本体を構成する係合部に係合される被係合部を有する錠受け部と、を有する施錠装置を備え、前記全閉状態において前記錠受け部における前記係合部を受ける側の側部が前記戸先側枠材と前記開閉体との相互間に位置するように前記錠受け部を配置することにより、前記係合部を前記被係合部に係合可能とした。
【０１２７】
（付記の効果）
付記１に記載の引戸によれば、戸先側枠材と開閉体との相互間に設けられた当接部材と、全閉状態において戸先側枠材と開閉体との相互間又は当接部材の内側に形成される通気路とを備えたので、全閉状態において当接部材及び通気路を戸先側枠材と開閉体との相互間に設けることができ、従来技術（開閉体に換気ガラリを設ける技術）に比べて、全閉状態において当接部材及び通気路を目立ちにくくすることができると共に、開閉体の安定性を確保しながら、引戸によって閉ざされた空間の換気を効果的に行うことができる。したがって、引戸の意匠性を維持しながら、引戸の換気性を確保することが可能となる。
【０１２８】
付記２に記載の引戸によれば、相互間領域のうち、第１領域と第２領域とに当接部材が位置するように、当接部材を少なくとも１つ以上配置したので、当接部材を第１領域又は第２領域のいずれか一方のみに配置した場合に比べて、全閉状態において開閉体のガタツキを抑制でき、引戸の安定性を向上できる。
【０１２９】
付記３に記載の引戸によれば、通気路が、全閉状態において、戸先側枠材と開閉体との相互間に形成される通気路であり、当接部材を、第１領域の部分のうち戸先側枠材の長手方向の一方の端部近傍部分に配置すると共に、第２領域の部分のうち戸先側枠材の長手方向の他方の端部近傍部分に配置したので、全閉状態において開閉体のガタツキを効果的に抑制でき、引戸の安定性を一層向上できる。
【０１３０】
付記４に記載の引戸によれば、全閉状態において当接部材が戸先側枠材の見込面と開閉体の見込面とに当接するように、当接部材を構成したので、全閉状態において開閉体の面内方向のガタツキを抑制でき、引戸の安定性をさらに一層向上できる。
【０１３１】
付記５に記載の引戸によれば、全閉状態において戸先側枠材によって通気路又は当接部材が見込み方向の少なくともいずれか一方側から略覆われるように、戸先側枠材及び開閉体を構成したので、全閉状態において、見込み方向の少なくとも一方側から通気路及び当接部材を見えにくく又は見えないようにすることができ、引戸の意匠性を一層維持することが可能となる。
【０１３２】
付記６に記載の引戸によれば、当接部材を戸先側枠材又は開閉体に対して着脱自在に取り付けるための少なくとも１つ以上の取付手段を備えたので、取付手段によって当接部材の着脱を容易に行うことができ、状況に応じて換気量を調整することが可能となる。
【０１３３】
付記７に記載の引戸によれば、全閉状態において錠受け部における錠本体の係合部を受ける側の側部が戸先側枠材と開閉体との相互間に位置するように錠受け部を配置することにより、係合部を錠受け部の被係合部に係合可能としたので、当接部材を設けた場合において、特殊な施錠装置を用いることなく開閉体を施錠することができ、引戸の製造性を向上できる。
【符号の説明】
【０１３４】
１  引戸
２  躯体
３  開口部
１０  枠体
１１  戸先縦枠
１２  戸尻縦枠
１３  上横枠
１３ａ  レール部
１４  室外側方立
１５  室外側戸袋ボード
１６  縦枠側凹部
１６ａ  底部分
１６ｂ  側壁部分
１７  戸袋
２０  開閉体
２０ａ  戸先側側面
３０  開閉体本体
３１  開閉体枠
３１ａ  縦枠材
３２  室内側表面材
３３  室外側表面材
３４  芯材
３５  把持部
４０  戸先カバー
４１  戸車
５０  施錠装置
６０  錠本体
６１  本体側収容部
６２  係合部
６３  ロッド部
７０  錠受け部
７１  受け側収容部
７１ａ  右側側部
７２  錠受け部本体
７３  挿通孔
８０  当接部材
８１  第１当接部材
８２  第２当接部材
８３  第３当接部材
８３ａ  右側側部
９０  通気路
１１０  取付部
１１１  取付部本体
１１２  取付側係合部
１１３  取付側被係合部
１２０  予備の錠受け部
１３０  予備の挿通孔
ＡＦ  空気の流れ
Ｃ  開閉体の中央位置
Ｆ  床面
ＭＡ  相互間領域
ＭＡ１  第１領域
ＭＡ２  第２領域
【図１】
2019157423.tif 000003
【図２】
2019157423.tif 000004
【図３】
2019157423.tif 000005
【図４】
2019157423.tif 000006
【図５】
2019157423.tif 000007
【図６】
2019157423.tif 000008
【図７】
2019157423.tif 000009
【図８】
2019157423.tif 000010
【図９】
2019157423.tif 000011
【図１０】
2019157423.tif 000012
【図１１】
2019157423.tif 000013
【図１２】
2019157423.tif 000014
【図１３】
2019157423.tif 000015
【図１４】
2019157423.tif 000016